(57)【要約】      （修正有）【課題】ガントリ内部への液体の浸入の恐れを低減しつつ、ガントリ外装の変形を低減した医用装置を提供する。【解決手段】外装は、フロントカバー３０、メインカバー４０、リアカバー５０、およびスキャンウインドウ６０を有する。スキャンウインドウ６０は、ＰＣシート６１と弾性部材６２および６３とを有している。フロントカバー３０は、弾性部材６２が配置される受入れ部３２と、ＰＣシート６１の変形を低減するための補強部３３とを有し、リアカバー５０は、弾性部材６３が配置される受入れ部５２と、ＰＣシート６１の変形を低減するための補強部５３とを有する。【選択図】図１４
2020069382.tif 000002
【特許請求の範囲】
【請求項１】
所定の軸の周りを回転するＸ線管が内蔵されたガントリの外装であって、
前記外装の前面の部分を構成する第１のカバーであって、被検体が移動可能な空間を形成する第１の開口部を画定するための第１の壁面を有する第１のカバーと、
前記外装の背面の部分を構成する第２のカバーであって、前記被検体が移動可能な空間を形成する第２の開口部を画定するための第２の壁面を有する第２のカバーと、
Ｘ線が透過可能に構成されたスキャンウインドウであって、前記Ｘ線管の回転経路に沿うように前記第１のカバーおよび第２のカバーに取り付けられるスキャンウインドウと、
を有し、
前記スキャンウインドウが、
前記第１の開口部と前記第２の開口部との間に前記被検体が移動可能な空間を形成する第３の開口部を画定するための内面と、前記Ｘ線管が前記回転経路に沿って移動可能な移動空間を画定するための外面とを有し、Ｘ線を透過することが可能な部分を含むウインドウ部材と、
前記ウインドウ部材の外面側に設けられ、前記ガントリ内への液体の浸入を防止するための第１の弾性部材と、
前記ウインドウ部材の外面側に設けられ、前記ガントリ内への液体の浸入を防止するための第２の弾性部材と、
を有し、
前記第１のカバーが、
前記第１の弾性部材が配置される第１の受入れ部であって、前記第１の弾性部材が接する第１の面を有する第１の受入れ部と、
前記ウインドウ部材の変形を低減するための第１の補強部であって、前記ウインドウ部材の外面側から前記ウインドウ部材を支持する第１の補強部と、
を有し、
前記第２のカバーが、
前記第２の弾性部材が配置される第２の受入れ部であって、前記第２の弾性部材が接する第２の面を有する第２の受入れ部と、
前記ウインドウ部材の変形を低減するための第２の補強部であって、前記ウインドウ部材の外面側から前記ウインドウ部材を支持する第２の補強部と、
を有する、ガントリの外装。
【請求項２】
前記スキャンウインドウが、前記第１のカバーおよび前記第２のカバーに着脱自在に装着可能である、請求項１に記載のガントリの外装。
【請求項３】
前記スキャンウインドウの前記第１の弾性部材が前記第１のカバーの前記第１の受入れ部に押し付けられるととともに、前記スキャンウインドウの前記第２の弾性部材が前記第２のカバーの前記第２の受入れ部に押し付けられることにより、前記スキャンウインドウが前記第１のカバーおよび第２のカバーに装着される、請求項２に記載のガントリの外装。
【請求項４】
前記ウインドウ部材が、前記ウインドウ部材の一方の端面に沿うように形成された第１の凹部と、前記ウインドウ部材の他方の端面に沿うように形成された第２の凹部とを有する、請求項１〜３のうちのいずれか一項に記載のガントリの外装。
【請求項５】
前記第１の弾性部材が、前記第１の凹部に対して前記一方の端面の反対側において前記第１の凹部に沿うように、前記ウインドウ部材の外面側に設けられ、
前記第２の弾性部材が、前記第２の凹部に対して前記他方の端面の反対側において前記第２の凹部に沿うように、前記ウインドウ部材の外面側に設けられる、請求項４に記載のガントリの外装。
【請求項６】
前記第１の受入れ部が第１の基部を有し、
前記第２の受入れ部が第２の基部を有する、請求項１〜５のうちのいずれか一項に記載のガントリの外装。
【請求項７】
前記第１の弾性部材が前記第１の基部に押し付けられ、
前記第２の弾性部材が前記第２の基部に押し付けられる、請求項６に記載のガントリの外装。
【請求項８】
前記第１の基部の内壁面が、前記第１の面であり、
前記第２の基部の内壁面が、前記第２の面である、請求項７に記載のガントリの外装。
【請求項９】
前記第１の受入れ部が、第１の側部と、前記第１の側部に対向する第２の側部とを有する、請求項６〜８のうちのいずれか一項に記載のガントリの外装。
【請求項１０】
前記第１の側部が、前記第1の壁面のうちの前記第１の受入れ部側の面よりも所定の長さだけ突出する第１の凸部を有し、
前記スキャンウインドウが前記第１および第２のカバーに装着されると、前記ウインドウ部材の前記第１の凹部が、前記第１の凸部と対向するように位置決めされる、請求項９に記載のガントリの外装。
【請求項１１】
前記第２の受入れ部が、第３の側部と、前記第３の側部に対向する第４の側部とを有する、請求項６〜１０のうちのいずれか一項に記載のガントリの外装。
【請求項１２】
前記第３の側部が、前記第２の壁面のうちの前記第２の受入れ部側の面よりも所定の長さだけ突出する第２の凸部を有し、
前記スキャンウインドウが前記第１および第２のカバーに装着されると、前記ウインドウ部材の前記第２の凹部が、前記第２の凸部と対向するように位置決めされる、請求項１１に記載のガントリの外装。
【請求項１３】
前記第1の面が、前記第１の受入れ部の前記第１の側部の内壁面又は前記第２の側部の内壁面を含む、請求項９又は１０に記載のガントリの外装。
【請求項１４】
前記第２の面が、前記第２の受入れ部の前記第３の側部の内壁面又は前記第４の側部の内壁面を含む、請求項１１又は１２に記載のガントリの外装。
【請求項１５】
前記第１の受入れ部および前記第１の補強部が一体的に形成されており、
前記第２の受入れ部および前記第２の補強部が一体的に形成されている、請求項１〜１４のうちのいずれか一項に記載のガントリの外装。
【請求項１６】
前記第１のカバーが、前記第１の壁面を有する第１の壁部を有し、前記第２のカバーが、前記第２の壁面を有する第２の壁部を有し、
前記第１の受入れ部が前記第１の壁部に一体的に形成されており、前記第２の受入れ部が前記第２の壁部に一体的に形成されている、請求項１〜１５のうちのいずれか一項に記載のガントリの外装。
【請求項１７】
前記第１のカバーが、前記第１の壁面を有する第１の壁部を有し、
前記第１の受入れ部が、前記第１の壁部に接合されている、請求項１〜１５のうちのいずれか一項に記載のガントリの外装。
【請求項１８】
前記第２のカバーが、前記第２の壁面を有する第２の壁部を有し、
前記第２の受入れ部が、前記第２の壁部に接合されている、請求項１〜１５および１７のうちのいずれか一項に記載のガントリの外装。
【請求項１９】
前記第１のカバーおよび前記第２のカバーに装着された前記スキャンウインドウが、固定部材で前記第１のカバーおよび前記第２のカバーに固定される、請求項１〜１８のうちのいずれか一項に記載のガントリの外装。
【請求項２０】
前記固定部材が、前記ウインドウ部材と前記第１の補強部とが重なる部分で、前記スキャンウインドウを前記第１のカバーに固定する、請求項１９に記載のガントリの外装。
【請求項２１】
前記固定部材が、前記ウインドウ部材と前記第２の補強部とが重なる部分で、前記スキャンウインドウを前記第２のカバーに固定する、請求項１９又は２０に記載のガントリの外装。
【請求項２２】
前記固定部材が、前記第１の受入れ部に対して前記第１の補強部とは反対側の部分で、前記スキャンウインドウを前記第１のカバーに固定する、請求項１９に記載のガントリの外装。
【請求項２３】
前記固定部材が、前記第２の受入れ部に対して前記第２の補強部とは反対側の部分で、前記スキャンウインドウを前記第２のカバーに固定する、請求項１９又は２２に記載のガントリの外装。
【請求項２４】
前記第１の弾性部材および前記第２の弾性部材が、前記ウインドウ部材の外面に接合されている、請求項１〜２３のうちのいずれか一項に記載のガントリの外装。
【請求項２５】
前記スキャンウインドウが、前記第１の弾性部材又は前記第２の弾性部材と前記外面との間に、前記ウインドウ部材よりも変形しにくい部材を含む、請求項１〜２３のうちのいずれか一項に記載のガントリの外装。
【請求項２６】
前記ウインドウ部材よりも変形しにくい部材がステンレス鋼を用いて形成されている、請求項２５に記載のガントリの外装。
【請求項２７】
前記ウインドウ部材が、薄肉部と、前記薄肉部の一方の端部に形成された第１の厚肉部と、前記薄肉部の他方の端部に形成された第２の厚肉部とを有し、
前記第１の弾性部材が、前記第１の弾性部材と前記第１の厚肉部との間に隙間が設けられるように、前記薄肉部の外面側に設けられ、
前記第２の弾性部材が、前記第２の弾性部材と前記第２の厚肉部との間に隙間が設けられるように、前記薄肉部の外面側に設けられている、請求項１〜３のうちのいずれか一項に記載のガントリの外装。
【請求項２８】
請求項１〜２７のうちのいずれか一項に記載のガントリの外装を有する医用装置。
【発明の詳細な説明】
【技術分野】
【０００１】
本発明は、ガントリの外装、および当該ガントリの外装を有する医用装置に関する。
【背景技術】
【０００２】
被検体の体内の画像を非侵襲的に撮影する医用装置として、Ｘ線ＣＴ装置が知られている。Ｘ線ＣＴ装置は、撮影部位を短時間で撮影することができるので、病院等の医療施設に普及している。
【０００３】
Ｘ線ＣＴ装置は、患者が搬送されるボアを有するガントリを備えている。ガントリには、Ｘ線管が内蔵されており、Ｘ線管を回転させながらＸ線を検出し、検出されたＸ線のデータに基づいて、患者の画像を再構成することができる。
【０００４】
また、Ｘ線ＣＴ装置は、Ｘ線管から照射されたＸ線がガントリの内壁を透過して検出器で検出されるようにするため、ガントリの内壁には、Ｘ線が透過可能な材料で形成されたスキャンウインドウが設けられている。スキャンウインドウは、ガントリの内部の簡易的なメンテナンスができるように、ガントリのカバーに対して着脱自在に装着できるように構成されている。スキャンウインドウの一例が、特許文献１に開示されている。
【先行技術文献】
【特許文献】
【０００５】
【特許文献１】特表２０１６−５３０９２１号公報
【発明の概要】
【発明が解決しようとする課題】
【０００６】
近年、Ｘ線ＣＴ装置においては、体格の大きな患者の撮影に対応できるように、また、患者周りで広い作業領域が確保できるようにするため、ボアの内径を広げることが望まれている。しかし、ボアの内径を広げるためには、一般的には、ガントリのカバー（外装）の内壁を、ガントリに内蔵されている回転体（Ｘ線管、検出器など）に近づける必要があるので、ガントリのカバー（外装）と回転体（Ｘ線管、検出器など）との間の間隔が狭くなる。したがって、ボアの内径を広げると、ガントリの外装が外部からの力（例えば、回転体が回転することにより発生する力）によって変形した場合に、外装が回転体に接触し事故に繋がる恐れがある。
【０００７】
また、ボアのカバーにスキャンウインドウを装着する場合、ボアのカバーとスキャンウインドウとの間の隙間からガントリ内部に液体（例えば、造影剤、患者の血液）が浸入しないようにする必要もある。そこで、ガントリ内部への液体の浸入を防止するために、カバーの壁面に密着する弾性部材を備えたスキャンウインドウが知られている。弾性部材は、ボアのカバーとスキャンウインドウとの間の隙間を塞ぐことができるので、ガントリ内部への液体の浸入を防止することができる。しかし、スキャンウインドウに外力が加わると、弾性部材は外力により圧縮される。弾性部材が圧縮されると、弾性部材の厚さが薄くなってしまうので、弾性部材の厚さが薄くなった分、スキャンウインドウが回転体に近づくことになる。したがって、弾性部材の圧縮も、ガントリの外装が回転体（Ｘ線管、検出器など）に接触する原因の一つになり得る。
【０００８】
したがって、ガントリ内部への液体の浸入の恐れを低減しつつ、ガントリの外装の変形を低減することが要求されている。
【課題を解決するための手段】
【０００９】
本発明の第１の観点は、所定の軸の周りを回転するＸ線管が内蔵されたガントリの外装であって、
前記外装の前面の部分を構成する第１のカバーであって、被検体が移動可能な空間を形成する第１の開口部を画定するための第１の壁面を有する第１のカバーと、
前記外装の背面の部分を構成する第２のカバーであって、前記被検体が移動可能な空間を形成する第２の開口部を画定するための第２の壁面を有する第２のカバーと、
Ｘ線が透過可能に構成されたスキャンウインドウであって、前記Ｘ線管の回転経路に沿うように前記第１のカバーおよび第２のカバーに取り付けられるスキャンウインドウと、
を有し、
前記スキャンウインドウが、
前記第１の開口部と前記第２の開口部との間に前記被検体が移動可能な空間を形成する第３の開口部を画定するための内面と、前記Ｘ線管が前記回転経路に沿って移動可能な移動空間を画定するための外面とを有し、Ｘ線を透過することが可能な部分を含むウインドウ部材と、
前記ウインドウ部材の外面側に設けられ、前記ガントリ内への液体の浸入を防止するための第１の弾性部材と、
前記ウインドウ部材の外面側に設けられ、前記ガントリ内への液体の浸入を防止するための第２の弾性部材と、
を有し、
前記第１のカバーが、
前記第１の弾性部材が配置される第１の受入れ部であって、前記第１の弾性部材が接する第１の面を有する第１の受入れ部と、
前記ウインドウ部材の変形を低減するための第１の補強部であって、前記ウインドウ部材の外面側から前記ウインドウ部材を支持する第１の補強部と、
を有し、
前記第２のカバーが、
前記第２の弾性部材が配置される第２の受入れ部であって、前記第２の弾性部材が接する第２の面を有する第２の受入れ部と、
前記ウインドウ部材の変形を低減するための第２の補強部であって、前記ウインドウ部材の外面側から前記ウインドウ部材を支持する第２の補強部と、
を有する、ガントリの外装である。
【００１０】
また、本発明の第２の観点は、第１の観点のガントリの外装を有する医用装置である。
【発明の効果】
【００１１】
ガントリの外装は、スキャンウインドウの第１および第２の弾性部材が配置される第１および第２の受入れ部を有している。第１および第２の受入れ部は、第１および第２の弾性部材が接する面を有しているので、液体がガントリの外部からガントリ内に浸入してしまう恐れを低減することができる。
【００１２】
また、ガントリの外装は、スキャンウインドウのウインドウ部材の変形を防止するための第１および第２の補強部を有している。第１および第２の補強部は、ウインドウ部材の外面側からウインドウ部材を支持する。したがって、ウインドウ部材に、ウインドウ部材を変形させるような力が加わっても、第１および第２の補強部がウインドウ部材を支持するので、ウインドウ部材の変形を十分に低減することができる。
【図面の簡単な説明】
【００１３】
【図１】第１の形態におけるＸ線ＣＴ装置の外観図である。
【図２】ガントリ２の斜視図である。
【図３】ガントリ２の正面図およびＡ−Ａ断面図である。
【図４】ガントリ２の外装２０の分解斜視図である。
【図５】フロントカバー３０の説明図である。
【図６】受入れ部３２および補強部３３の説明図である。
【図７】リアカバー５０の説明図である。
【図８】受入れ部５２および補強部５３の説明図である。
【図９】メインカバー４０に固定されたフロントカバー３０およびリアカバー５０の斜視図である。
【図１０】図９に示すフロントカバー３０、メインカバー４０、およびリアカバー５０の断面図である。
【図１１】スキャンウインドウ６０の斜視図である。
【図１２】スキャンウインドウ６０の正面図および側面図である。
【図１３】スキャンウインドウ６０の分解斜視図である。
【図１４】スキャンウインドウ６０およびその周辺の部材の拡大図である。
【図１５】本形態とは異なる構造を有するフロントカバー３００およびリアカバー５００を有するガントリ２の説明図である。
【図１６】スキャンウインドウ６０がフロントカバー３００およびリアカバー５００に装着された後の様子を示している。
【図１７】ＰＣシート６１の変形を示す図である。
【図１８】アンダーカットの問題に対処したフロントカバー３０およびリアカバーの一例を示す図である。
【図１９】第２の形態におけるフロントカバー１３０の説明図である。
【図２０】第２の形態におけるリアカバー１５０の説明図である。
【図２１】フロントカバー１３０がメインカバー４０の前面側に固定され、リアカバー１５０がメインカバー４０の背面側に固定された様子を示す図である。
【図２２】フロントカバー１３０およびリアカバー１５０にスキャンウインドウ６０が装着された様子を示す図である。
【図２３】スキャンウインドウ６０が装着される前のフロントカバー１３００およびリアカバー１５００を示す図である。
【図２４】フロントカバー１３００およびリアカバー１５００にスキャンウインドウ６０が装着された後の様子を示す図である。
【図２５】スキャンウインドウ６０が装着される前のフロントカバー１３０１およびリアカバー１５０１を示す図である。
【図２６】フロントカバー１３０１およびリアカバー１５０１にスキャンウインドウ６０が装着された後の様子を示す図である。
【図２７】第５の形態におけるフロントカバー７０の説明図である。
【図２８】第５の形態におけるリアカバー８０の説明図である。
【図２９】フロントカバー７０がメインカバー４０の前面側に固定され、リアカバー８０がメインカバー４０の背面側に固定された様子を示す図である。
【図３０】スキャンウインドウ９０の斜視図およびＡ−Ａ断面図である。
【図３１】スキャンウインドウ９０の正面図および側面図である。
【図３２】スキャンウインドウ９０の分解斜視図である。
【図３３】ＰＣシート９１の斜視図およびＡ−Ａ断面図である。
【図３４】フロントカバー７０およびリアカバー８０にスキャンウインドウ９０が装着された様子を概略的に示す図である。
【図３５】シート片１９１の斜視図である。
【図３６】ＰＣシートの斜視図である。
【図３７】ＰＣシート９１に弾性部材９２および９３が接合された様子を示す図である。
【図３８】裏打ち部材１０１が接合されたＰＣシートを示す斜視図である。
【図３９】シート片１９２の斜視図である。
【図４０】ＰＣシートの斜視図である。
【図４１】裏打ち部材１０１が接合されたＰＣシートを示す斜視図である。
【図４２】フロントカバー７０１がメインカバー４０の前面側に固定され、リアカバー８０１がメインカバー４０の背面側に固定された様子を示す図である。
【図４３】フロントカバー７０１およびリアカバー８０１にスキャンウインドウ９０が装着された様子を示す図である。
【図４４】第７の形態におけるフロントカバー７０２およびリアカバー８０２の説明図である。
【図４５】第７の形態におけるスキャンウインドウ９０１の斜視図およびＡ−Ａ断面図である。
【図４６】フロントカバー７０２およびリアカバー８０２にスキャンウインドウ９０が装着された様子を示す図である。
【図４７】第８の形態におけるスキャンウインドウ９０２の説明図である。
【図４８】第９の形態で使用される弾性部材を示す図である。
【発明を実施するための形態】
【００１４】
以下、発明を実施するための形態について説明するが、本発明は、以下の形態に限定されることはない。
【００１５】
図１は、第１の形態におけるＸ線ＣＴ装置の外観図である。
図１に示すように、Ｘ線ＣＴ装置１は、ガントリ（gantry）２、テーブル（table）４００、及び操作コンソール（console）６００を備えている。
【００１６】
ガントリ２及びテーブル４００はスキャンルームＲ１に設置されており、操作コンソール６は操作ルームＲ２に設置されている。
以下、ガントリ２について説明する。
【００１７】
図２はガントリ２の斜視図、図３はガントリ２の正面図およびＡ−Ａ断面図である。
ガントリ２は、被検体が搬送される空間を表すボア３を有している。
【００１８】
ガントリ２内には、図３に示すように、フレーム４が備えられている。尚、フレーム４については、フレーム４の全体は図示されておらず、フレーム４の一部のみが図示されている。また、ガントリ２内には、ｚ方向に沿う軸ＲＡを中心として回転する回転部５が備えられている。回転部５は、Ｘ線管６およびＸ線検出器７などの回転体を有している。尚、ｚ方向は体軸方向に対応しており、ｙ方向は鉛直方向に対応しており、ｘ方向は、ｚ方向およびｙ方向に対して直交する方向に対応している。
【００１９】
フレーム４には、回転部５を支持する回転支持部材８が取り付けられている。Ｘ線管６およびＸ線検出器７は、回転支持部材８に回転自在に取り付けられている。回転部５は、軸ＲＡを中心とした回転経路ＲＰに沿って回転する。
【００２０】
外装２０は、ガントリ２の内部に配置されている部材を覆うように構成される。また、外装２０は、外装２０で囲まれる空間内に、回転部５が回転経路ＲＰに沿って移動可能な移動空間９を形成する。
【００２１】
撮影時には、被検体がボア３内に搬送され、Ｘ線管６からＸ線が照射され、Ｘ線検出器７がＸ線を検出する。検出されたＸ線はＤＡＳ（Data Acquisition system）で処理され、Ｘ線データとして収集される。そして、Ｘ線データに基づいて、画像が生成される。
【００２２】
図４は、ガントリ２の外装２０の分解斜視図である。
外装２０は、フロントカバー３０、メインカバー４０、リアカバー５０、およびスキャンウインドウ６０を有している。
【００２３】
メインカバー４０は、フロントカバー３０とリアカバー５０との間に設けられるカバーである。フロントカバー３０はメインカバー４０の前面側に固定され、リアカバー５０はメインカバー４０の背面側に固定される。
【００２４】
次に、フロントカバー３０およびリアカバー５０の構造について、図５〜図８を参照しながら説明する。
【００２５】
図５は、フロントカバー３０の説明図である。
図５には、フロントカバー３０の正面図、断面図、および裏面図が示されている。尚、フロントカバー３０の断面図は、軸ＲＡを含みｙｚ面に平行な面Ｓ内における断面図を表している。
【００２６】
フロントカバー３０は、外装２０の前面の部分を構成するカバーである。フロントカバー３０は、フロント壁部３１と、受入れ部３２と、補強部３３とを有している。フロント壁部３１、受入れ部３２、および補強部３３は、一体的に形成されている。
【００２７】
フロント壁部３１は壁面３１１を有している。壁面３１１は、ｘｙ面内において（図５の正面図参照）、軸ＲＡを中心とした半径ｒ０の円の円周に沿う周縁部３１２と、軸ＲＡを中心とした半径ｒ１の円の円周に沿う周縁部３１３とを有している。壁面３１１は、被検体が移動可能な空間を形成するための開口部３１４を画定する。開口部３１４は、被検体がその中に移動できるように形成されている。
次に、受入れ部３２および補強部３３について説明する（図６参照）。
【００２８】
図６は、受入れ部３２および補強部３３の説明図である。
図６には、図５の断面図と、受入れ部３２および補強部３３の拡大図が示されている。尚、図６では、受入れ部３２および補強部３３の構造を視覚的に認識しやすくするため、半径ｒ１、ｒ２、およびｒ３の長さに対して受入れ部３２および補強部３３のサイズを誇張して示してある。
【００２９】
受入れ部３２は、後述する弾性部材６２（図１１参照）を受け入れるための部材である。受入れ部３２がどのようにして弾性部材６２を受け入れるかについては後述する。受入れ部３２は、フロント壁部３１の周縁部３１３に一体的に形成されている。受入れ部３２は、基部３２１、第１の側部３２２、および第２の側部３２３を有している。
【００３０】
基部３２１は、軸ＲＡを中心とした半径ｒ２の円の円周に沿って延在するリング形状を有している。
【００３１】
第１の側部３２２は、フロント壁部３１の周縁部３１３に沿って延在するリング形状を有している。第１の側部３２２は、軸ＲＡを中心とした半径ｒ１の円の円周に沿って延在する内側端部３２２ａと、軸ＲＡを中心とした半径ｒ２の円の円周に沿って延在する外側端部３２２ｂとを有している。内側端部３２２ａは、フロント壁部３１の周縁部３１３に一体的に形成されており、外側端部３２２ｂは基部３２１に一体的に形成されている。
【００３２】
第２の側部３２３は、ｚ方向において第１の側部３２２と対向するように形成されている。第２の側部３２３は、軸ＲＡを中心とした半径ｒ３の円の円周に沿って延在する内側端部３２３ａと、軸ＲＡを中心とした半径ｒ２の円の円周に沿って延在する外側端部３２３ｂとを有している。外側端部３２３ｂは基部３２１に一体的に形成されている。
【００３３】
また、基部３２１は内壁面３２１ａを有し、第１の側部３２２は内壁面３２２ｃを有し、第２の側部３２３は内壁面３２３ｃを有している。内壁面３２２ｃの高さｈはｈ＝ｈ１に設定され、内壁面３２３ｃの高さｈはｈ＝ｈ２に設定され、内壁面３２２ｃと３２３ｃとの間の距離ｄはｄ＝ｄ１に設定されている。
【００３４】
これらの内壁面３２１ａ、３２２ｃ、および３２３ｃで囲まれた空間３４が、後述するスキャンウインドウ６０の弾性部材６２（図１１参照）が配置される空間として使用される。
【００３５】
次に、補強部３３について説明する。
補強部３３は、軸ＲＡを中心とした半径ｒ３の円の円周に沿って延在するように形成されている。補強部３３は、第２の側部３２３に対して、第１の側部３２２から離れる方向に突出するように形成されている。補強部３３は、第２の側部３２３の内側端部３２３ａに一体的に形成されている。補強部３３は、後述するスキャンウインドウ６０のＰＣシート６１（図１１参照）の変形が低減されるように、ＰＣシート６１を補強するものである。補強部３３がどのようにしてＰＣシート６１を補強するのかについては後述する。
【００３６】
フロントカバー３０は、上記のように構成された受入れ部３２および補強部３３を有している。フロントカバー３０は、例えば、金型を用いて成形することができる。
次に、リアカバー５０について説明する。
【００３７】
図７は、リアカバー５０の説明図である。
図７には、リアカバー５０の正面図、断面図、および裏面図が示されている。尚、リアカバー５０の断面図は、軸ＲＡを含みｙｚ面に平行な面Ｓ内における断面図を表している。
【００３８】
リアカバー５０は、外装２０の背面の部分を構成するカバーである。リアカバー５０は、リア壁部５１と、受入れ部５２と、補強部５３とを有している。リア壁部５１、受入れ部５２、および補強部５３は、一体的に形成されている。
【００３９】
リア壁部５１は壁面５１１を有している。壁面５１１は、ｘｙ面内において（図７の正面図参照）、軸ＲＡを中心とした半径ｒ０の円の円周に沿う周縁部５１２と、軸ＲＡを中心とした半径ｒ１の円の円周に沿う周縁部５１３とを有している。壁面５１１は、被検体が移動可能な空間を形成するための開口部５１４を画定する。開口部５１４は、被検体がその中に移動できるように形成されている。
次に、受入れ部５２および補強部５３について説明する（図８参照）。
【００４０】
図８は、受入れ部５２および補強部５３の説明図である。
図８には、図７の断面図と、受入れ部５２および補強部５３の拡大図が示されている。尚、図８では、受入れ部５２および補強部５３の構造を視覚的に認識しやすくするため、半径ｒ１、ｒ２、およびｒ３の長さに対して受入れ部５２および補強部５３のサイズを誇張して示してある。
【００４１】
受入れ部５２は、後述する弾性部材６３（図１１参照）を受け入れるための部材である。受入れ部５２がどのようにして弾性部材６３を受け入れるかについては後述する。受入れ部５２は、リア壁部５１の周縁部５１３に一体的に形成されている。受入れ部５２は、基部５２１、第３の側部５２２、および第４の側部５２３を有している。
【００４２】
基部５２１は、軸ＲＡを中心とした半径ｒ２の円の円周に沿って延在するリング形状を有している。
【００４３】
第３の側部５２２は、リア壁部５１の周縁部５１３に沿って延在するリング形状を有している。第３の側部５２２は、軸ＲＡを中心とした半径ｒ１の円の円周に沿って延在する内側端部５２２ａと、軸ＲＡを中心とした半径ｒ２の円の円周に沿って延在する外側端部５２２ｂとを有している。内側端部５２２ａは、リア壁部５１の周縁部５１３に一体的に形成されており、外側端部５２２ｂは基部５２１に一体的に形成されている。
【００４４】
第４の側部５２３は、ｚ方向において第３の側部５２２と対向するように形成されている。第４の側部５２３は、軸ＲＡを中心とした半径ｒ３の円の円周に沿って延在する内側端部５２３ａと、軸ＲＡを中心とした半径ｒ２の円の円周に沿って延在する外側端部５２３ｂとを有している。外側端部５２３ｂは基部５２１に一体的に形成されている。
【００４５】
また、基部５２１は内壁面５２１ａを有し、第３の側部５２２は内壁面５２２ｃを有し、第４の側部５２３は内壁面５２３ｃを有している。内壁面５２２ｃの高さｈはｈ＝ｈ３に設定され、内壁面５２３ｃの高さｈはｈ＝ｈ４に設定され、内壁面５２２ｃと５２３ｃとの間の距離ｄはｄ＝ｄ２に設定されている。
【００４６】
これらの内壁面５２１ａ、５２２ｃ、および５２３ｃで囲まれた空間５４が、後述するスキャンウインドウ６０の弾性部材６３（図１１参照）が配置される空間として使用される。
【００４７】
次に、補強部５３について説明する。
補強部５３は、軸ＲＡを中心とした半径ｒ３の円の円周に沿って延在するように形成されている。補強部５３は、第４の側部５２３に対して、第３の側部５２２から離れる方向に突出するように形成されている。補強部５３は、第４の側部５２３の内側端部５２３ａに一体的に形成されている。補強部５３は、後述するスキャンウインドウ６０のＰＣシート６１（図１１参照）の変形が低減されるように、ＰＣシート６１を補強するものである。補強部５３がどのようにしてＰＣシート６１を補強するのかについては後述する。
【００４８】
リアカバー５０は、上記のように構成された受入れ部５２および補強部５３を有している。リアカバー５０は、例えば、金型を用いて成形することができる。
【００４９】
上記のように構成されたフロントカバー３０およびリアカバー５０が、メインカバー４０に固定される（図９および図１０参照）。
【００５０】
図９および図１０は、フロントカバー３０がメインカバー４０の前面側に固定され、リアカバー５０がメインカバー４０の背面側に固定された様子を示す図である。
【００５１】
図９は、メインカバー４０に固定されたフロントカバー３０およびリアカバー５０の斜視図、図１０は、図９に示すフロントカバー３０、メインカバー４０、およびリアカバー５０の断面図である。尚、図１０は、軸ＲＡを含みｙｚ面に平行な面内における断面図を示している。
【００５２】
フロントカバー３０およびリアカバー５０がメインカバー４０に固定されることにより、図９に示すように、フロントカバー３０の開口部とリアカバー５０の開口部との間に隙間Ｇが形成される。
【００５３】
スキャンウインドウ６０は、この隙間Ｇを塞ぐように、フロントカバー３０およびリアカバー５０に装着することができるように構成されている。
【００５４】
Ｘ線ＣＴ装置の製造工場の従業員やフィールドエンジニアなどの作業者は、スキャンウインドウ６０をフロントカバー３０およびリアカバー５０に手作業で装着することができる。作業者は、図２に示すように、隙間Ｇ（図９および図１０参照）を塞ぐように、スキャンウインドウ６０をフロントカバー３０およびリアカバー５０に装着することができる。更に、作業者は、必要に応じて、スキャンウインドウ６０をフロントカバー３０およびリアカバー５０から手作業で取り外すこともできる。
次に、スキャンウインドウ６０の構造について説明する。
【００５５】
図１１〜図１３は、スキャンウインドウ６０の説明図である。
図１１はスキャンウインドウ６０の斜視図、図１２はスキャンウインドウ６０の正面図および側面図である。
スキャンウインドウ６０は略円筒形状を有している。以下に、スキャンウインドウ６０を構成する各部品について説明する。
【００５６】
図１３はスキャンウインドウ６０の分解斜視図である。
スキャンウインドウ６０は、ＰＣ（Poly Carbonate）シート６１と弾性部材６２および６３とを有している。
【００５７】
ＰＣシート６１は、ポリカーボネート（Poly Carbonate）で形成されたシートであり、Ｘ線を透過することが可能であり且つ変形可能なシートである。ＰＣシート６１は、Ｘ線が透過可能なウインドウ（窓）を有するウインドウ部材として使用されるものであり、軸ＲＡを中心とした半径ｒ４の円の円周に沿うリング形状を有している。ｒ４は、例えば、３０ｃｍ〜４０ｃｍの範囲内の値に設定することができる。尚、第１の形態では、ポリカーボネートを使用してＸ線が透過可能且つ変形可能なシートを形成しているが、ポリカーボネートとは別の材料で、Ｘ線が透過可能且つ変形可能なシートを形成してもよい。
【００５８】
また、ＰＣシート６１は、厚さｔがｔ＝ｔ０で、軸ＲＡ方向の幅ｗがｗ＝ｗ０に設定されるように形成されている。ｔ０は、例えば、０．１ｍｍ〜数ｍｍの範囲内の値に設定することができ、ｗ０は、例えば、１０ｃｍ〜３０ｃｍの範囲内の値に設定することができる。
【００５９】
ＰＣシート６１は内面６１ａおよび外面６１ｂを有している。ＰＣシート６１の内面６１ａは、被検体が移動可能な空間を形成するための開口部６１ｅを画定する。開口部６１ｅは、被検体がその中に移動できるように形成されている。一方、ＰＣシート６１の外面６１ｂは、回転部５の移動空間９（図３参照）を画定するための面である。尚、Ｘ線管６から照射されるＸ線のｚ方向における広がりを制限するために、ＰＣシート６１の一部を、Ｘ線の透過を阻止する材料で形成することも可能である。
【００６０】
また、ＰＣシート６１は、互いに反対側を向く２つの端面６１ｃおよび６１ｄを有している。
【００６１】
次に、弾性部材６２および６３について説明する。
弾性部材６２はＰＣシート６１の端面６１ｃに沿うリング形状を有している。また、弾性部材６２は内面６２ａおよび外面６２ｂを有している。弾性部材６２の内面６２ａは、ＰＣシート６１の外面６１ｂに接合される接合面として使用される。弾性部材６２は、厚さｔがｔ＝ｔ１、幅ｗがｗ＝ｗ１に設定されるように形成されている。ｔ１は、例えば、数ｍｍの値に設定することができ、ｗ１は、例えば、数ｍｍ〜数十ｍｍの値に設定することができる。弾性部材６２は、フロントカバー３０の受入れ部３２（図６参照）に嵌め込むことができるように構成されている。弾性部材６２の厚さｔ１は、受入れ部３２の内壁面３２３ｃの高さｈ２（図６参照）よりも、わずかに大きい値に設定されている。また、弾性部材６２の幅ｗ１は受入れ部３２の距離ｄ１（図６参照）よりもわずかに小さい値に設定されている。
【００６２】
次に、弾性部材６３について説明する。
弾性部材６３はＰＣシート６１の端面６１ｄに沿うリング形状を有している。また、弾性部材６３は内面６３ａおよび外面６３ｂを有している。弾性部材６３の内面６３ａは、ＰＣシート６１の外面６１ｂに接合される接合面として使用される。弾性部材６３は、厚さｔがｔ＝ｔ２、幅ｗがｗ＝ｗ２に設定されるように形成されている。ｔ２は、例えば、数ｍｍの値に設定することができ、ｗ２は、例えば、数ｍｍ〜数十ｍｍの値に設定することができる。弾性部材６３は、リアカバー５０の受入れ部５２（図８参照）に嵌め込むことができるように構成されている。弾性部材６３の厚さｔ２は、受入れ部５２の内壁面５２３ｃの高さｈ４（図８参照）よりも、わずかに大きい値に設定されている。また、弾性部材６３の幅ｗ２は受入れ部５２の距離ｄ２（図８参照）よりもわずかに小さい値に設定されている。
【００６３】
尚、弾性部材６２の厚さｔ１および弾性部材６３の厚さｔ２は、ｔ１＝ｔ２とすることができ、ｔ１≠ｔ２とすることもできる。
【００６４】
弾性部材６２および６３は、ＰＣシート６１に対して、ＰＣシート６１の外面６１ｂ側に設けられる。第１の形態では、弾性部材６２および６３をＰＣシート６１の外面６１ｂに接合することにより、弾性部材６２および６３が、ＰＣシート６１に対して、ＰＣシート６１の外面６１ｂ側に設けられている。弾性部材６２および６３をＰＣシート６１の外面６１ｂに接合することにより、図１１に示すように、スキャンウインドウ６０が構成される。弾性部材６２は、ＰＣシート６１の端面６１ｃに沿うように、ＰＣシート６１の外面６１ｂに接合されており、一方、弾性部材６３は、ＰＣシート６１の端面６１ｄに沿うように、ＰＣシート６１の外面６１ｂに接合されている。弾性部材６２および６３は、例えば、両面テープや接着剤などによって、ＰＣシート６１に接合することができる。尚、ＰＣシート６１と弾性部材６２又は６３との間に、必要に応じて、一つ以上の部材を介在させてもよい。この場合、ＰＣシート６１と弾性部材６２又は６３との間に、当該一つ以上の部材が配置されるように、ＰＣシート６１、当該一つ以上の部材、および弾性部材６２又は６３を、両面テープや接着剤などによって接合することができる。
【００６５】
弾性部材６２および６３は、液体がガントリ２の外部からガントリ２の内部に浸入することを防止するための部材である。弾性部材６２および６３は、例えば、フォーム材を使用して形成することができるが、フォーム材に限定されることはなく、液体の浸入を防止することが可能な材料であれば、フォーム材とは別の材料を使用して形成してもよい。弾性部材６２および６３がどのようにして液体の浸入を防止するかについては後述する。
【００６６】
上記のように構成されたスキャンウインドウ６０が、図２および図３に示すように、フロントカバー３０およびリアカバー５０に装着される。図１４に、図３に示す断面図と、当該断面図に示されたスキャンウインドウ６０およびその周辺の部材の拡大図とを示す。
【００６７】
作業者は、スキャンウインドウ６０の弾性部材６２および６３が、それぞれ受入れ部３２および５２（図１０参照）に嵌め込まれるように、弾性部材６２および６３を、それぞれ受入れ部３２および５２に押し込む。このようにして、受入れ部３２および５２が、それぞれ弾性部材６２および６３を受け入れる。したがって、スキャンウインドウ６０をフロントカバー３０およびリアカバー５０に装着することができる。スキャンウインドウ６０は、Ｘ線管６の回転経路ＲＰ（図３参照）に沿うようにフロントカバー３０およびリアカバー５０に取り付けられる。スキャンウインドウ６０の開口部６１ｅは、フロントカバー３０の開口部３１４とリアカバー５０の開口部５１４との間に位置する。
【００６８】
フロントカバー３０およびリアカバー５０は本形態の重要な部材であり、フロントカバー３０およびリアカバー５０は、スキャンウインドウ６０と協同して、ガントリ２内部への液体の浸入の恐れが低減され且つスキャンウインドウ６０の変形が低減されるという効果が得られるように構成されている。以下に、この効果が得られる理由について説明する。尚、本形態の効果の説明にあたっては、本形態の効果を理解しやすくするために、本形態で使用されているフロントカバー３０およびリアカバー５０について説明する前に、本形態とは異なる他のフロントカバーおよびリアカバーの構造と、当該他のフロントカバーおよびリアカバーによる欠点について説明する。そして、当該他のフロントカバーおよびリアカバーについて説明した後、当該欠点が解決できるように構成された本形態のフロントカバー３０およびリアカバー５０について説明する。
【００６９】
図１５は、本形態におけるフロントカバー３０およびリアカバー５０とは異なる構造を有する他のフロントカバー３００およびリアカバー５００を有するガントリ２の説明図である。
【００７０】
図１５は、スキャンウインドウ６０がフロントカバー３００およびリアカバー５００に取り付けられる前の状態を示している。
【００７１】
メインカバー４００は、先に説明したメインカバー４０（例えば、図３参照）と同じ構造であるので、メインカバー４００の説明は省略し、フロントカバー３００およびリアカバー５００について説明する。
【００７２】
尚、フロントカバー３００およびリアカバー５００の説明に当たっては、本形態におけるフロントカバー３０およびリアカバー５０との相違点を主に説明する。
【００７３】
フロントカバー３００は、本形態におけるフロントカバー３０と比較すると、以下の相違点１および２がある。
（１）フロントカバー３００は、本形態のフロントカバー３０の受入れ部３２（図６参照）とは異なる構造の受入れ部３０１を有している。フロントカバー３００の受入れ部３０１は、本形態のフロントカバー３０の受入れ部３２と同様に、基部３２１および第１の側部３２２を有している。しかし、フロントカバー３００の受入れ部３０１は、本形態のフロントカバー３０の受入れ部３２とは異なり、第２の側部３２３（図６参照）は備えていない。したがって、フロントカバー３００の受入れ部３０１は、ｚｙ面内における断面が略９０°に屈曲した形状を有している。
（２）本形態のフロントカバー３０は補強部３３（図６参照）を有しているが、フロントカバー３００は、当該補強部３３は備えていない。
【００７４】
次に、リアカバー５００について説明する。
リアカバー５００は、本形態におけるリアカバー５０と比較すると、以下の相違点３および４がある。
（３）リアカバー５００は、本形態のリアカバー５０の受入れ部５２（図８参照）とは異なる構造の受入れ部５０１を有している。リアカバー５００の受入れ部５０１は、本形態のリアカバー５０の受入れ部５２と同様に、基部５２１および第３の側部５２２を有している。しかし、リアカバー５００の受入れ部５０１は、本形態のリアカバー５０の受入れ部５２とは異なり、第４の側部５２３（図８参照）は備えていない。したがって、リアカバー５００の受入れ部５０１は、ｚｙ面内における断面が略９０°に屈曲した形状を有している。
（４）本形態のリアカバー５０は補強部５３（図８参照）を有しているが、リアカバー５００は、当該補強部５３は備えていない。
【００７５】
上記のように構成されたフロントカバー３００およびリアカバー５００に、スキャンウインドウ６０が装着される（図１６参照）。
【００７６】
図１６は、スキャンウインドウ６０がフロントカバー３００およびリアカバー５００に装着された後の様子を示している。
作業者は、スキャンウインドウ６０の弾性部材６２および６３を、それぞれ受入れ部３０１および５０１に押し込む。したがって、スキャンウインドウ６０をフロントカバー３００およびリアカバー５００に装着することができる。
【００７７】
スキャンウインドウ６０をフロントカバー３００およびリアカバー５００に装着することにより、ガントリ２の内部を外界から遮蔽することができる。また、スキャンウインドウ６０は、弾性部材６２および６３を有している。作業者が弾性部材６２および６３を受入れ部３０１および５０１に押し付けると、弾性部材６２が受入れ部３０１の内壁面に密着するように変形し、更に、弾性部材６３が受入れ部５０１の内壁面に密着するように変形する。したがって、液体がガントリ２の外部からガントリ２内に浸入してしまう恐れを低減することができる。
【００７８】
しかし、スキャンウインドウ６０のＰＣシート６１は、Ｘ線の減衰ができるだけ小さくなるように、シートの厚さができるだけ薄くなるように形成される必要がある。したがって、Ｘ線管６およびＸ線検出器７が回転することによりスキャンウインドウ６０に外力Ｆが加わると、図１７に示すように、ＰＣシート６１の変形が大きく、スキャンウインドウ６０と回転体（例えば、Ｘ線管６又はＸ線検出器７）が接触し、事故に繋がる恐れがある。また、スキャンウインドウ６０に外力Ｆが加わると、弾性部材６２および６３は外力Ｆにより圧縮される。弾性部材６２および６３が圧縮されると、弾性部材６２および６３の厚さが薄くなってしまうので、弾性部材６２および６３の厚さが薄くなった分、スキャンウインドウ６０が回転体に近づくことになる。したがって、弾性部材６２および６３の圧縮も、スキャンウインドウ６０と回転体の接触の原因になり得る。一方、弾性部材６２および６３の圧縮によってスキャンウインドウ６０のＰＣシート６１が回転体に近づいてしまうことを防止するために、弾性部材６２および６３を無くし、ＰＣシート６１をフロントカバーおよびリアカバーに直に装着させることが考えられる。しかし、弾性部材６２および６３を無くしてしまうと、ガントリ２内への液体の浸入を防止することができなくなるという問題がある。
【００７９】
そこで、本形態では、上記の問題に対処することができるように、フロントカバー３０およびリアカバー５０が構成されている。以下に、当該問題に対処することができる理由について、図１４を参照しながら説明する。
【００８０】
フロントカバー３０およびリアカバー５０は、それぞれ弾性部材６２および６３が配置される受入れ部３２および５２を有している。図１３を参照しながら説明したように、弾性部材６２の厚さｔ＝ｔ１は、受入れ部３２の内壁面３２３ｃの高さｈ２（図６参照）よりも大きい値に設定され、弾性部材６３の厚さｔ＝ｔ２は、受入れ部５２の内壁面５２３ｃの高さｈ４（図８参照）よりも大きい値に設定されている。したがって、作業者が弾性部材６２および６３を受入れ部３２および５２に嵌め込むと、弾性部材６２が受入れ部３２の基部の内壁面３２１ａに押し付けられ、更に、弾性部材６３が受入れ部５２の基部の内壁面５２１ａに押し付けられる。このため、弾性部材６２が受入れ部３２の内壁面３２１ａに接して内壁面３２１ａに密着するように変形し、弾性部材６３が受入れ部５２の内壁面５２１ａに接して内壁面５２１ａに密着するように変形する。したがって、液体がガントリ２の外部からガントリ２内に浸入してしまう恐れを十分に低減することができる。
【００８１】
また、作業者が弾性部材６２および６３を、それぞれ受入れ部３２および５２に嵌め込むと、ＰＣシート６１の外面６１ｂが補強部３３および５３に接触又は近接する。したがって、ＰＣシート６１に外力Ｆが加わっても、補強部３３および５３がＰＣシート６１の外面６１ｂ側からＰＣシート６１を支持するので、ＰＣシート６１が補強され、ＰＣシートの変形を十分に低減することができる。
【００８２】
また、第１の形態では、スキャンウインドウ６０がフロントカバー３０およびリアカバー５０に装着されると、弾性部材６２が受入れ部３２の基部３２１の内壁面３２１ａに接し、更に、弾性部材６３が受入れ部５２の基部５２１の内壁面５２１ａに接することにより、液体がガントリの内部に浸入することを防止している。しかし、弾性部材６２が受入れ部３２の基部３２１の内壁面３２１ａだけでなく、受入れ部３２の第１の側部３２２の内壁面３２２ｃ（図６参照）および第２の側部３２３の内壁面３２３ｃ（図６参照）に接するように、弾性部材６２および受入れ部３２を形成してもよい。このように、弾性部材６２が受入れ部３２の３つの内壁面３２１ａ、３２２ｃおよび３２３ｃに接することにより、弾性部材６２の液体浸入防止効果を更に高めることができる。尚、液体浸入防止効果が発揮されるのであれば、弾性部材６２は受入れ部３２の３つの内壁面３２１ａ、３２２ｃおよび３２３ｃに接する必要はなく、これら３つの内壁面３２１ａ、３２２ｃおよび３２３ｃのうちの少なくともいずれか一つの内壁面に接するように、弾性部材６２および受入れ部３２を構成してもよい。
【００８３】
同様に、液体浸入防止効果が発揮されるのであれば、もう一方の弾性部材６３は受入れ部５２の３つの内壁面５２１ａ、５２２ｃおよび５２３ｃ（図８参照）に接する必要はなく、これら３つの内壁面５２１ａ、３２２ｃおよび３２３ｃのうちの少なくともいずれか一つの内壁面に接するように、弾性部材６３および受入れ部５２を構成してもよい。
【００８４】
尚、第１の形態では、フロントカバー３０およびリアカバー５０は金型を用いて成形されている。以下では、フロントカバー３０およびリアカバー５０の金型の構造を複雑にする原因となるアンダーカットについて、図１０を参照しながら簡単に説明する。
【００８５】
図１０に示すように、フロントカバー３０のフロント壁部３１と受入れ部３２との境界部分Ｂ１は屈曲した形状を有しており、リアカバー５０のリア壁部５１と受入れ部５２との境界部分Ｂ２はも屈曲した形状をしている。このような屈曲した形状は、フロントカバー３０の金型の構造を複雑にする原因となるアンダーカットＡとなり得る。そこで、このアンダーカットの問題に対処したフロントカバーおよびリアカバーの一例について説明する（図１８参照）。
【００８６】
図１８は、アンダーカットの問題に対処したフロントカバー３０およびリアカバーの一例を示す図である。
【００８７】
図１８に示す例では、フロント壁部３１のうちの、受入れ部３２側の部分の厚みが厚くなるようにし、更に、受入れ部３２の基部３２１がフロント壁部３１に一体的に形成されている。また、リア壁部５１のうちの、受入れ部５２側の部分の厚みが厚くなるようにし、受入れ部５２の基部５２１がリア壁部５１に一体的に形成されている。したがって、図１８のフロントカバー３０およびリアカバーは、図１０に示すアンダーカットＡの無い構造とすることができる。このため、図１８のフロントカバー３０およびリアカバー５０は、図１０と比較すると、金型から離型しやすくすることができる。
【００８８】
尚、第１の形態では、受入れ部および補強部は一体的に形成されている。しかし、受入れ部および補強部を別の部品として形成し、補強部を受入れ部に接合するようにしてもよい。
【００８９】
（第２の形態）
第２の形態のＣＴ装置は、第1の形態のＣＴ装置と比較すると、フロントカバーおよびリアカバーの構造が異なるが、その他の構成は同じである。したがって、第２の形態の説明にあたっては、フロントカバーおよびリアカバーについて主に説明する。
【００９０】
図１９は、第２の形態におけるフロントカバー１３０の説明図である。
フロントカバー１３０は、フロント壁部１３１と、板金１３２および２３２とを有している。
【００９１】
板金１３２は、基部１３３、第１の側部１３４、第２の側部１３５、第１の突出部１３６、および第２の突出部１３７を有している。
【００９２】
基部１３３は、軸ＲＡを中心とした半径ｒ５の円の円周に沿って延在するリング形状を有している。
【００９３】
第１の側部１３４は、軸ＲＡを中心とした半径ｒ６の円の円周に沿って延在する内側端部１３４ａと、軸ＲＡを中心とした半径ｒ５の円の円周に沿って延在する外側端部１３４ｂとを有している。外側端部１３４ｂは基部１３３に一体的に形成されている。
【００９４】
第２の側部１３５は、第１の側部１３４に対向するように形成されている。第２の側部１３５は、軸ＲＡを中心とした半径ｒ７の円の円周に沿って延在する内側端部１３５ａと、軸ＲＡを中心とした半径ｒ５の円の円周に沿って延在する外側端部１３５ｂとを有している。外側端部１３５ｂは基部１３３に一体的に形成されている。
【００９５】
第１の突出部１３６は、第１の側部１３４に対して第２の側部１３５から離れる方向に突出するように形成されている。第１の突出部１３６は、軸ＲＡを中心とした半径ｒ６の円の円周に沿って延在している。第１の突出部１３６は、第１の側部１３４の内側端部１３４ａに一体的に形成されている。
【００９６】
第２の突出部１３７は、第２の側部１３５に対して第１の側部１３４から離れる方向に突出するように形成されている。第２の突出部１３７は、軸ＲＡを中心とした半径ｒ７の円の円周に沿って延在している。第２の突出部１３７は、第２の側部１３５の内側端部１３５ａに一体的に形成されている。
【００９７】
また、基部１３３は内壁面１３３ａを有し、第１の側部１３４は内壁面１３４ｄを有し、第２の側部１３５は内壁面１３５ｃを有している。これらの内壁面１３３ａ、１３４ｄ、および１３５ｃで囲まれた空間１３８が、スキャンウインドウ６０の弾性部材６２（図１１参照）が配置される空間として使用される。
【００９８】
板金１３２は、一体的に形成された基部１３３、第１の側部１３４、第２の側部１３５、第１の突出部１３６、および第２の突出部１３７によって構成されている。
【００９９】
また、もう一方の板金２３２は、板金１３２の基部１３３を支持する支持部２３２ａと、支持部２３２ａから突出する突出部２３２ｂとを有している。
【０１００】
板金１３２の第１の突出部１３６、第１の側部１３４、および板金２３２の突出部２３２ｂで囲まれる空間は、フロント壁部１３１の端部１３１ａが差し込まれる溝を構成している。フロント壁部１３１の端部１３１ａは、例えば、接着剤によって、板金１３２の第１の突出部１３６の壁面１３６ａ、第１の側部１３４の壁面１３４ｃ、および板金２３２の突出部２３２ｂの壁面２３２ｃに接合することができる。
【０１０１】
板金１３２の基部１３３、第１の側部１３４、および第２の側部１３５は、スキャンウインドウ６０の弾性部材６２（図１１参照）が配置される受入れ部１３９を構成する。また、板金１３２の第２の突出部１３７は、ＰＣシート６１（図１１参照）の変形が低減されるようにＰＣシート６１を補強するための補強部１３７を構成する。したがって、板金１３２は、受入れ部１３９と補強部１３７との役割を担っている。第２の形態では、受入れ部１３９はフロント壁部１３１に接合されている。尚、図１９では、受入れ部１３９および補強部１３７の構造を視覚的に認識しやすくするため、半径ｒ５、ｒ６、ｒ７、およびｒ８の長さに対して受入れ部１３９および補強部１３７のサイズを誇張して示してある。
【０１０２】
次に、第２の形態におけるリアカバーについて説明する。
図２０は、第２の形態におけるリアカバー１５０の説明図である。
リアカバー１５０は、リア壁部１５１と、板金１５２および２５２とを有している。
【０１０３】
板金１５２は、基部１５３、第３の側部１５４、第４の側部１５５、第３の突出部１５６、および第４の突出部１５７を有している。
【０１０４】
基部１５３は、軸ＲＡを中心とした半径ｒ９の円の円周に沿って延在するリング形状を有している。
【０１０５】
第３の側部１５４は、軸ＲＡを中心とした半径ｒ１０の円の円周に沿って延在する内側端部１５４ａと、軸ＲＡを中心とした半径ｒ９の円の円周に沿って延在する外側端部１５４ｂとを有している。外側端部１５４ｂは基部１５３に一体的に形成されている。
【０１０６】
第４の側部１５５は、第３の側部１５４に対向するように形成されている。第４の側部１５５は、軸ＲＡを中心とした半径ｒ１２の円の円周に沿って延在する内側端部１５５ａと、軸ＲＡを中心とした半径ｒ９の円の円周に沿って延在する外側端部１５５ｂとを有している。外側端部１５５ｂは基部１５３に一体的に形成されている。
【０１０７】
第３の突出部１５６は、第３の側部１５４に対して第４の側部１５５から離れる方向に突出するように形成されている。第３の突出部１５６は、軸ＲＡを中心とした半径ｒ１０の円の円周に沿って延在している。第３の突出部１５６は、第３の側部１５４の内側端部１５４ａに一体的に形成されている。
【０１０８】
第４の突出部１５７は、第４の側部１５５に対して第３の側部１５４から離れる方向に突出するように形成されている。第４の突出部１５７は、軸ＲＡを中心とした半径ｒ１２の円の円周に沿って延在している。第４の突出部１５７は、第４の側部１５５の内側端部１５５ａに一体的に形成されている。
【０１０９】
また、基部１５３は内壁面１５３ａを有し、第３の側部１５４は内壁面１５４ｄを有し、第４の側部１５５は内壁面１５５ｃを有している。これらの内壁面１５３ａ、１５４ｄ、および１５５ｃで囲まれた空間１５８が、スキャンウインドウ６０の弾性部材６３（図１１参照）が配置される空間として使用される。
【０１１０】
板金１５２は、一体的に形成された基部１５３、第３の側部１５４、第４の側部１５５、第３の突出部１５６、および第４の突出部１５７によって構成されている。
【０１１１】
また、もう一方の板金２５２は、板金１５２の基部１５３を支持する支持部２５２ａと、支持部２５２ａから突出する突出部２５２ｂとを有している。
【０１１２】
板金１５２の第３の突出部１５６、第３の側部１５４、および板金２５２の突出部２５２ｂで囲まれる空間は、リア壁部１５１の端部１５１ａが差し込まれる溝を構成している。リア壁部１５１の端部１５１ａは、例えば、接着剤によって、板金１５２の第３の突出部１５６の壁面１５６ａ、第３の側部１５４の壁面１５４ｃ、および板金２５２の突出部２５２ｂの壁面２５２ｃに接合することができる。
【０１１３】
板金１５２の基部１５３、第３の側部１５４、および第４の側部１５５は、スキャンウインドウ６０の弾性部材６３（図１１参照）が配置される受入れ部１５９を構成する。また、板金１５２の第４の突出部１５７は、ＰＣシート６１（図１１参照）の変形が低減されるようにＰＣシート６１を補強するための補強部１５７を構成する。したがって、板金１５２は、受入れ部１５９と補強部１５７との役割を担っている。第２の形態では、受入れ部１５９はリア壁部１５１に接合されている。尚、図２０では、受入れ部１５９および補強部１５７の構造を視覚的に認識しやすくするため、半径ｒ９、ｒ１０、ｒ１１、およびｒ１２の長さに対して受入れ部１５９および補強部１５７のサイズを誇張して示してある。
【０１１４】
上記のように構成されたフロントカバー１３０およびリアカバー１５０がメインカバーに固定される（図２１参照）。
【０１１５】
図２１は、フロントカバー１３０がメインカバー４０の前面側に固定され、リアカバー１５０がメインカバー４０の背面側に固定された様子を概略的に示す図である。
【０１１６】
フロントカバー１３０およびリアカバー１５０がメインカバー４０に固定されることにより、図２１に示すように、フロントカバー１３０とリアカバー１５０との間に隙間Ｇが形成される。
【０１１７】
スキャンウインドウ６０は、隙間Ｇを埋めるように、フロントカバー１３０およびリアカバー１５０に装着される（図２２参照）。
【０１１８】
図２２は、フロントカバー１３０およびリアカバー１５０にスキャンウインドウ６０が装着された様子を概略的に示す図である。
【０１１９】
作業者がスキャンウインドウ６０の弾性部材６２および６３を受入れ部１３９および１５９（図２１参照）に嵌め込むと、弾性部材６２が受入れ部１３９の内壁面に押し付けられ、更に、弾性部材６３が受入れ部１５９の内壁面に押し付けられる。したがって、弾性部材６２が受入れ部１３９に密着するように変形し、弾性部材６３が受入れ部１５９に密着するように変形する。このため、液体がガントリ２の外部からガントリ２内に浸入してしまう恐れを十分に低減することができる。
【０１２０】
また、作業者が弾性部材６２および６３を、それぞれ受入れ部１３９および１５９に嵌め込むと、ＰＣシート６１の外面６１ｂが補強部１３７および１５７に接触又は近接する。したがって、ＰＣシート６１に外力Ｆが加わっても、補強部１３７および１５７がＰＣシート６１を支持するので、ＰＣシート６１が補強され、ＰＣシートの変形を十分に低減することができる。
【０１２１】
したがって、第２の形態でも、第１の形態と同様に、液体がガントリ２の外部からガントリ２内に浸入してしまう恐れを十分に低減し、更に、ＰＣシート６１の変形を低減することができる。
【０１２２】
また、第２の形態では、フロント壁部１３１は金型を用いて成形され、一方、受入れ部１３９および補強部１３７は、板金を加工することにより形成される。したがって、第２の形態では、フロントカバー１３０を製造する場合、受入れ部１３９の形状に対応するアンダーカットを考慮した金型を準備する必要がなく、受入れ部１３９が含まれないフロント壁部１３１を成形する金型を用意すればよいので、フロント壁部１３１を金型から離型しやすくすることができる。同様に、リアカバー１５０を製造する場合も、リア壁部１５１を金型から容易に離型することができる。
【０１２３】
また、第２の形態では、板金を用いて受入れ部および補強部を構成しているので、受入れ部および補強部の強度を高めることができる。
【０１２４】
（第３の形態）
第３の形態では、フロントカバーおよびリアカバーに装着されたスキャンウインドウを固定部材で固定する例について説明する。
第３の形態については、図２３および図２４を参照しながら説明する。
【０１２５】
図２３は、スキャンウインドウ６０が装着される前のフロントカバー１３００およびリアカバー１５００を示す図である。
【０１２６】
第３の形態におけるフロントカバー１３００およびリアカバー１５００は、第２の形態におけるフロントカバー１３０およびリアカバー１５０と基本的な構造は同じである。しかし、第３の形態のフロントカバー１３００は、板金１３２の突出部（補強部）１３７に、ねじを貫通させるための貫通孔１３７ａが形成されている点が、第２の形態のフロントカバー１３０とは異なっている。また、第３の形態のリアカバー１５００は、板金１５２の突出部（補強部）１５７に、ねじをかんつうさせるための貫通孔１５７ａが形成されている点が、第２の形態のリアカバー１５０とは異なっている。
【０１２７】
図２４は、フロントカバー１３００およびリアカバー１５００にスキャンウインドウ６０が装着された後の様子を示す図である。
【０１２８】
第３の形態では、ＰＣシート６１は、板金１３２の突出部（補強部）１３７の貫通孔１３７ａに対応する位置に、ねじを貫通させるための貫通孔６１ｆが形成されており、更に、板金１５２の突出部（補強部）１５７の貫通孔１５７ａに対応する位置に、ねじを貫通させるための貫通孔６１ｇが形成されている。
【０１２９】
第３の形態では、スキャンウインドウ６０をフロントカバー１３００およびリアカバー１５００に装着する場合、作業者は、スキャンウインドウ６０の貫通孔６１ｆを、板金１３２の突出部（補強部）１３７の貫通孔１３７ａに連通するように位置決めし、更に、スキャンウインドウ６０の貫通孔６１ｇを、板金１５２の突出部（補強部）１５７の貫通孔１５７ａに連通するように位置決めすることができる。
【０１３０】
作業者は、スキャンウインドウ６０をフロントカバー１３００およびリアカバー１５００に装着した後、ねじＳ１を、貫通孔６１ｆおよび１３７ａに螺合させるとともに、ねじＳ２を、貫通孔６１ｇおよび１５７ａに螺合させる。ねじＳ１は、ＰＣシート６１と補強部１３７とが重なる部分で、スキャンウインドウ６０をフロントカバー１３００に固定する。また、ねじＳ２は、ＰＣシート６１と補強部１５７とが重なる部分で、スキャンウインドウ６０をリアカバー１５００に固定する。したがって、ＰＣシート６１が補強部１３７および１５７に強固に固定されるので、ＰＣシート６１の変形を更に低減することができる。
【０１３１】
尚、第３の形態では、ねじＳ６１およびＳ２を用いてスキャンウインドウ６０をフロントカバー１３００およびリアカバー１５００に固定しているが、ねじ以外の固定部材を用いてスキャンウインドウ６０を固定してもよい。
【０１３２】
（第４の形態）
第４の形態では、第３の形態とは異なる位置に固定部材を固定する例について説明する。
第４の形態については、図２５および図２６を参照しながら説明する。
【０１３３】
図２５は、スキャンウインドウ６０が装着される前のフロントカバー１３０１およびリアカバー１５０１を示す図である。
【０１３４】
第４の形態では、フロントカバー１３０１のフロント壁部１３１１は、壁部本体１３１１ａと端部１３１１ｂとを有するように構成されている。端部１３１１ｂは、壁部本体１３１１ａの約半分の厚さになるように薄く形成されている。
【０１３５】
また、フロントカバー１３０１は、２つの板金１３２１および２３２１を有している。板金２３２１は第２の形態における板金２３２（図１９参照）と同じ構造である。一方、板金１３２１は、第２の形態における板金１３２（図１９参照）と比較すると、以下の点が異なっている。
（１）板金１３２１は、２つの側部１３４および１３５が同じ高さを有するように加工されている。
（２）板金１３２１は、突出部１３６に、ねじを貫通させるための貫通孔１３６ｂが形成されている。
【０１３６】
次に、リアカバー１５０１について説明する。
リアカバー１５０１のリア壁部１５１１は、壁部本体１５１１ａと端部１５１１ｂとを有するように構成されている。端部１５１１ｂは、壁部本体１５１１ａの約半分の厚さになるように薄く形成されている。
【０１３７】
また、リアカバー１５０１は、２つの板金１５２１および２５２１を有している。板金２５２１は第２の形態における板金２５２（図２０参照）と同じ構造である。一方、板金１５２１は、第２の形態における板金１５２（図２０参照）と比較すると、以下の点が異なっている。
（１）板金１５２１は、２つの側部１５４および１５５が同じ高さを有するように加工されている。
（２）板金１５２１は、突出部１５６に、ねじを貫通させるための貫通孔１５６ｂが形成されている。
【０１３８】
スキャンウインドウ６０は、上記のように構成されたフロントカバー１３０１およびリアカバー１５１１に装着される（図２６参照）。
【０１３９】
図２６は、フロントカバー１３０１およびリアカバー１５０１にスキャンウインドウ６０が装着された後の様子を示す図である。
【０１４０】
第４の形態では、ＰＣシート６１は、板金１３２１の突出部１３６を覆う延長部６１１と、板金１５２１の突出部１５６を覆う延長部６１２とを有している。ＰＣシート６１の延長部６１１は、突出部１３６の貫通孔１３６ｂに対応する位置に、ねじを貫通させるための貫通孔６１ｈが形成されている。また、ＰＣシート６１の延長部６１２には、突出部１５６の貫通孔１５６ｂに対応する位置に、ねじを貫通させるための貫通孔６１ｉが形成されている。
【０１４１】
第４の形態では、スキャンウインドウ６０をフロントカバー１３０１およびリアカバー１５０１に装着する場合、作業者は、スキャンウインドウ６０の貫通孔６１ｈを、板金１３２１の突出部１３６の貫通孔１３６ｂに連通するように位置決めし、更に、スキャンウインドウ６０の貫通孔６１ｉを、板金１５２１の突出部１５６の貫通孔１５６ｂに連通するように位置決めすることができる。
【０１４２】
作業者は、スキャンウインドウ６０をフロントカバー１３０１およびリアカバー１５０１に装着した後、ねじＳ１を、貫通孔６１ｈおよび１３６ｂに螺合させるとともに、ねじＳ２を、貫通孔６１ｉおよび１５６ｂに螺合させる。ねじＳ１は、受入れ部１３９に対して補強部１３７とは反対側の部分で、スキャンウインドウ６０をフロントカバー１３０１に固定する。また、ねじＳ２は、受入れ部１５９に対して補強部１５７とは反対側の部分で、スキャンウインドウ６０をリアカバー１５０１に固定する。したがって、ＰＣシート６１が板金１３２１の突出部１３６および板金１５２１の突出部１５６に強固に固定されるので、ＰＣシート６１の変形を更に低減することができる。
【０１４３】
第４の形態は、第３の形態と比較すると、ねじＳ１およびＳ２の位置を、Ｘ線管６およびＸ線検出器７などの回転体から離すことができる。したがって、回転体の近傍に、ねじＳ１およびＳ２の先端を突出させるための十分な空間を確保することが難しい場合には、第４の形態を採用することにより、ＰＣシート６１をフロントカバー１３０およびリアカバー１５０に強固に固定することができる。
【０１４４】
（５）第５の形態
第５の形態のＣＴ装置は、第１〜第４の形態のＣＴ装置と比較すると、フロントカバーおよびリアカバーの構成と、スキャンウインドウの構成が異なるが、その他の構成は同じである。したがって、第５の形態の説明にあたっては、フロントカバーおよびリアカバー並びにスキャンウインドウについて主に説明する。
【０１４５】
図２７は、第５の形態におけるフロントカバー７０の説明図である。
図２７には、フロントカバー７０の断面図と、受入れ部７２および補強部７３の拡大図が示されている。尚、図２７では、受入れ部７２および補強部７３の構造を視覚的に認識しやすくするため、半径ｒ１、ｒ１’およびｒ２の長さに対して受入れ部７２および補強部７３のサイズを誇張して示してある。
【０１４６】
フロントカバー７０は、フロント壁部７１と、受入れ部７２と、補強部７３とを有している。フロント壁部７１、受入れ部７２、および補強部７３は、一体的に形成されている。
【０１４７】
フロント壁部７１は壁面７１１を有している。壁面７１１は軸ＲＡを中心とした半径ｒ１’の円の円周に沿う周縁部７１３を有している。壁面７１１は、被検体が移動可能な空間を形成するための開口部７１４を画定する。開口部７１４は、被検体がその中に移動できるように形成されている。
【０１４８】
また、壁面７１１のうちの受入れ部７２側の面７１１ａは、当該面７１１ａと軸ＲＡとの間の距離が、軸ＲＡに沿う方向に渡って、一定値（ｒ１’）を有するように形成されている。
次に、受入れ部７２および補強部７３について説明する。
【０１４９】
受入れ部７２は、フロント壁部７１の周縁部７１３に一体的に形成されている。受入れ部７２は、基部７２１、第１の側部７２２、および第２の側部７２３を有している。
【０１５０】
基部７２１は、軸ＲＡを中心とした半径ｒ２の円の円周に沿って延在するリング形状を有している。
【０１５１】
第１の側部７２２は、フロント壁部７１の周縁部７１３に沿って延在するリング形状を有している。第１の側部７２２は、軸ＲＡを中心とした半径ｒ１の円の円周に沿って延在する内側端部７２２ａと、軸ＲＡを中心とした半径ｒ２の円の円周に沿って延在する外側端部７２２ｂとを有している。内側端部７２２ａは、フロント壁部７１の周縁部７１３に一体的に形成されており、外側端部７２２ｂは基部７２１に一体的に形成されている。
【０１５２】
第２の側部７２３は、ｚ方向において第１の側部７２２と対向するように形成されている。第２の側部７２３は、軸ＲＡを中心とした半径ｒ１の円の円周に沿って延在する内側端部７２３ａと、軸ＲＡを中心とした半径ｒ２の円の円周に沿って延在する外側端部７２３ｂとを有している。外側端部７２３ｂは基部７２１に一体的に形成されている。
【０１５３】
また、基部７２１は内壁面７２１ａを有し、第１の側部７２２は内壁面７２２ｃを有し、第２の側部７２３は内壁面７２３ｃを有している。内壁面７２２ｃおよび７２３ｃは同じ高さｈ（＝ｈ１）に設定されており、内壁面７２２ｃと７２３ｃとの間の距離ｄはｄ＝ｄ１に設定されている。
【０１５４】
これらの内壁面７２１ａ、７２２ｃ、および７２３ｃで囲まれた空間７４が、後述するスキャンウインドウ９０の弾性部材９２（図３０参照）が配置される空間として使用される。
【０１５５】
次に、補強部７３について説明する。
補強部７３は、軸ＲＡを中心とした半径ｒ１の円の円周に沿って延在するように形成されている。補強部７３は、第２の側部７２３に対して、第１の側部７２２から離れる方向に突出するように形成されている。補強部７３は、第２の側部７２３の内側端部７２３ａに一体的に形成されている。補強部７３は、スキャンウインドウ９０のＰＣシート９１（図３０参照）の変形が低減されるように、ＰＣシート９１を補強するものである。
【０１５６】
フロントカバー７０は、上記のように構成されている。次に、リアカバーについて説明する。
図２８は、第５の形態におけるリアカバー８０の説明図である。
図２８には、リアカバー８０の断面図と、受入れ部８２および補強部８３の拡大図が示されている。尚、図２８では、受入れ部８２および補強部８３の構造を視覚的に認識しやすくするため、半径ｒ１、ｒ１’およびｒ２の長さに対して受入れ部８２および補強部８３のサイズを誇張して示してある。
【０１５７】
リアカバー８０は、リア壁部８１と、受入れ部８２と、補強部８３とを有している。リア壁部８１、受入れ部８２、および補強部８３は、一体的に形成されている。
【０１５８】
リア壁部８１は壁面８１１を有している。壁面８１１は軸ＲＡを中心とした半径ｒ１’の円の円周に沿う周縁部８１３を有している。壁面８１１は、被検体が移動可能な空間を形成するための開口部８１４を画定する。開口部８１４は、被検体がその中に移動できるように形成されている。
【０１５９】
また、壁面８１１のうちの受入れ部８２側の面８１１ａは、当該面８１１ａと軸ＲＡとの間の距離が、軸ＲＡに沿う方向に渡って、一定値（ｒ１’）を有するように形成されている。
次に、受入れ部８２および補強部８３について説明する。
【０１６０】
受入れ部８２は、リア壁部８１の周縁部８１３に一体的に形成されている。受入れ部８２は、基部８２１、第３の側部８２２、および第４の側部８２３を有している。
【０１６１】
第３の側部８２２は、リア壁部８１の周縁部８１３に沿って延在するリング形状を有している。第３の側部８２２は、軸ＲＡを中心とした半径ｒ１の円の円周に沿って延在する内側端部８２２ａと、軸ＲＡを中心とした半径ｒ２の円の円周に沿って延在する外側端部８２２ｂとを有している。内側端部８２２ａは、リア壁部８１の周縁部８１３に一体的に形成されており、外側端部８２２ｂは基部８２１に一体的に形成されている。
【０１６２】
第４の側部８２３は、ｚ方向において第３の側部８２２と対向するように形成されている。第４の側部８２３は、軸ＲＡを中心とした半径ｒ１の円の円周に沿って延在する内側端部８２３ａと、軸ＲＡを中心とした半径ｒ２の円の円周に沿って延在する外側端部８２３ｂとを有している。外側端部８２３ｂは基部８２１に一体的に形成されている。
【０１６３】
また、基部８２１は内壁面８２１ａを有し、第３の側部８２２は内壁面８２２ｃを有し、第４の側部８２３は内壁面８２３ｃを有している。内壁面８２２ｃおよび８２３ｃは同じ高さｈ（＝ｈ３）に設定されており、内壁面８２２ｃと８２３ｃとの間の距離ｄはｄ＝ｄ２に設定されている。
【０１６４】
これらの内壁面８２１ａ、８２２ｃ、および８２３ｃで囲まれた空間８４が、後述するスキャンウインドウ９０の弾性部材９３（図３０参照）が配置される空間として使用される。
【０１６５】
次に、補強部８３について説明する。
補強部８３は、軸ＲＡを中心とした半径ｒ１の円の円周に沿って延在するように形成されている。補強部８３は、第４の側部８２３に対して、第３の側部８２２から離れる方向に突出するように形成されている。補強部８３は、第４の側部８２３の内側端部８２３ａに一体的に形成されている。補強部８３は、後述するスキャンウインドウ９０のＰＣシート９１（図３０参照）の変形が低減されるように、ＰＣシート９１を補強する。
リアカバー８０は、上記のように構成されている。
【０１６６】
上記のように構成されたフロントカバー７０およびリアカバー８０が、メインカバー４０に固定される（図２９参照）。
【０１６７】
図２９は、フロントカバー７０がメインカバー４０の前面側に固定され、リアカバー８０がメインカバー４０の背面側に固定された様子を示す図である。
図２９には、フロントカバー７０、メインカバー４０、およびリアカバー８０の断面図が示されている。
【０１６８】
フロントカバー７０およびリアカバー８０がメインカバー４０に固定されることにより、図２９に示すように、フロントカバー７０の開口部とリアカバー８０の開口部との間に隙間Ｇが形成される。
次に、スキャンウインドウの構造について説明する。
【０１６９】
図３０〜図３３は、スキャンウインドウ９０の説明図である。
図３０はスキャンウインドウ９０の斜視図、図３１はスキャンウインドウ９０の正面図および側面図である。
スキャンウインドウ９０は略円筒形状を有している。以下に、スキャンウインドウ９０を構成する各部品について説明する。
【０１７０】
図３２はスキャンウインドウ９０の分解斜視図である。
スキャンウインドウ９０は、ＰＣシート９１と弾性部材９２および９３とを有している。
【０１７１】
図３３は、ＰＣシート９１の斜視図およびＡ−Ａ断面図である。
ＰＣシート９１は、ポリカーボネート（Poly Carbonate）で形成されたシートであり、Ｘ線を透過することが可能であり且つ変形可能なシートである。ＰＣシート９１は、Ｘ線が透過可能なウインドウ（窓）を有するウインドウ部材として使用されるものである。ＰＣシート９１は、軸ＲＡを中心とした半径ｒ４の円の円周に沿うリング形状を有している。ｒ４は、例えば、３０ｃｍ〜４０ｃｍの範囲内の値に設定することができる。
【０１７２】
ＰＣシート９１は、０．１ｍｍ〜数ｍｍ程度の厚さを有するように形成されている。更に、ＰＣシート９１は、軸ＲＡ方向の幅ｗがｗ＝ｗ０に設定されるように形成されている。ｗ＝ｗ０は、例えば、１０ｃｍ〜３０ｃｍの範囲内の値に設定することができる。
【０１７３】
ＰＣシート９１は内面９１ａおよび外面９１ｂを有している。ＰＣシート９１の内面９１ａは、被検体が移動可能な空間を形成するための開口部９１ｅを画定する。開口部９１ｅは、被検体がその中に移動できるように形成されている。一方、ＰＣシート９１の外面９１ｂは、回転部５の移動空間９（図３参照）を画定するための面である。尚、Ｘ線管６から照射されるＸ線のｚ方向における広がりを制限するために、ＰＣシート９１の一部を、Ｘ線の透過を阻止する材料でコーティングすることも可能である。
また、ＰＣシート９１は、互いに反対側を向く２つの端面９１ｃおよび９１ｄを有している。
【０１７４】
ＰＣシート９１の外面９１ｂには、２つの凹部９１ｆおよび９１ｇが形成されている。凹部９１ｆは端面９１ｃに沿うように形成されており、一方、凹部９１ｇは端面９１ｄに沿うように形成されている。ＰＣシート９１の凹部９１ｆが形成されている部分は、ＰＣシート９１の端部９１ｈよりも厚さが薄くなっており、また、ＰＣシート９１の凹部９１ｇが形成されている部分は、ＰＣシート９１の端部９１ｉよりも厚さが薄くなっている。
【０１７５】
次に、弾性部材９２および９３について、図３２を参照しながら説明する。
弾性部材９２はリング形状を有している。また、弾性部材９２は内面９２ａおよび外面９２ｂを有している。弾性部材９２の内面９２ａは、ＰＣシート９１の外面９１ｂに接合される接合面として使用される。弾性部材９２は、厚さｔがｔ＝ｔ１、幅ｗがｗ＝ｗ１に設定されるように形成されている。ｔ１は、例えば、数ｍｍの値に設定することができ、ｗ１は、例えば、数ｍｍ〜数十ｍｍの値に設定することができる。弾性部材９２は、フロントカバー７０の受入れ部７２（図２７参照）に配置することができるように構成されている。弾性部材９２の厚さｔ１は、受入れ部７２の高さｈ１（図２７参照）よりも、わずかに大きい値に設定されている。また、弾性部材９２の幅ｗ１は受入れ部７２の距離ｄ１（図２７参照）よりも小さい値（例えば、ｗ１＝０．７ｄ１）に設定されている。
【０１７６】
次に、弾性部材９３について説明する。
弾性部材９３はリング形状を有している。また、弾性部材９３は内面９３ａおよび外面９３ｂを有している。弾性部材９３の内面９３ａは、ＰＣシート９１の外面９１ｂに接合される接合面として使用される。弾性部材９３は、厚さｔがｔ＝ｔ２、幅ｗがｗ＝ｗ２に設定されるように形成されている。ｔ２は、例えば、数ｍｍの値に設定することができ、ｗ２は、例えば、数ｍｍ〜数十ｍｍの値に設定することができる。弾性部材９３は、リアカバー８０の受入れ部８２（図２８参照）に配置されるように構成されている。弾性部材９３の厚さｔ２は、受入れ部８２の高さｈ３（図２８参照）よりも、わずかに大きい値に設定されている。また、弾性部材９３の幅ｗ２は受入れ部８２の距離ｄ２（図２８参照）よりも小さい値（例えば、ｗ２＝０．７ｄ２）に設定されている。
【０１７７】
弾性部材９２および９３は、ＰＣシート９１に対して、ＰＣシート９１の外面９１ｂ側に設けられる。第５の形態では、弾性部材９２および９３をＰＣシート９１の外面９１ｂに接合することにより、弾性部材９２および９３が、ＰＣシート９１に対して、ＰＣシート９１の外面９１ｂ側に設けられている。弾性部材９２および９３をＰＣシート９１の外面９１ｂに接合することにより、図３０および図３１に示すように、スキャンウインドウ９０が構成される。弾性部材９２は、ＰＣシート９１の凹部９１ｆに対して端面９１ｃの反対側において凹部９１ｆに沿うように、ＰＣシート９１の外面９１ｂに接合されている。一方、弾性部材９３は、ＰＣシート９１の凹部９１ｇに対して端面９１ｄの反対側において凹部９１ｇに沿うように、ＰＣシート９１の外面９１ｂに接合されている。弾性部材９２および９３は、例えば、両面テープや接着剤などによって、ＰＣシート９１に接合することができる。
【０１７８】
弾性部材９２および９３は、液体がガントリ２の外部からガントリ２の内部に浸入することを防止するための部材である。弾性部材９２および９３は、例えば、フォーム材を使用して形成することができる。
【０１７９】
上記のように構成されたスキャンウインドウ９０が、隙間Ｇ（図２９参照）を塞ぐようにフロントカバー７０およびリアカバー８０に装着される。図３４は、フロントカバー７０およびリアカバー８０にスキャンウインドウ９０が装着された様子を概略的に示す図である。
【０１８０】
作業者は、スキャンウインドウ９０の弾性部材９２および９３が、それぞれ受入れ部７２および７３に配置されるように、弾性部材９２および９３を、それぞれ受入れ部７２および８２に押し込む。これにより、スキャンウインドウ９０をフロントカバー７０およびリアカバー８０に装着することができる。
【０１８１】
第５の形態は、第１の形態と同様に、液体がガントリ２の外部からガントリ２内に浸入してしまう恐れを低減することができ、更に、ＰＣシートの変形を十分に低減することができる。
【０１８２】
また、第５の形態では、スキャンウインドウ９０をカバーに装着すると、ＰＣシート９１の端部９１ｈが、フロントカバー７０の面７１１ａに接触するともに、ＰＣシート９１の端部９１ｉが、リアカバー８０の面８１１ａに接触する（図３４参照）。したがって、スキャンウインドウ９０が、受入れ部７２および８２だけでなく、フロントカバー７０の面７１１ａの一部およびリアカバー８０の面８１１ａの一部も覆うので、受入れ部７２および８２内に、塵や埃などの細かいゴミを堆積しにくくすることができる。
【０１８３】
また、第５の形態では、ＰＣシート９１の端部９１ｈの近傍に凹部９１ｆが形成されており、ＰＣシート９１の端部９１ｉの近傍に凹部９１ｇが形成されている。以下に、凹部９１ｆおよび９１ｇが形成されている理由について説明する。
【０１８４】
何らかの原因で液体がＰＣシート９１の端部９１ｈに付着すると、毛細管現象によって液体がＰＣシート９１の端部９１ｈとカバーの面７１１ａとの間に浸入することがある。しかし、第５の形態では、ＰＣシート９１の端部９１ｈの近傍に凹部９１ｆが形成されているので、ＰＣシート９１の端部９１ｈとカバーの面７１１ａとの間に浸入した液体は、凹部９１ｆ内に到達する。凹部９１ｆ内に到達した液体は、その液体に働く表面張力によって、凹部９１ｆの内壁面に付着しやすくなるので、液体は、凹部９１ｆから、弾性部材９２と受入れ部７２の側部７２２との間の隙間７４ａに向かって流動しにくくなる。したがって、凹部９１ｆは液体を捕獲する役割を果たすので、隙間７４ａに液体が溜まりにくくなり、液体がガントリ２の内部に浸入する恐れを、更に低下させることができる。
同様に、液体がＰＣシート９１の端部９１ｉとカバーの面８１１ａとの間に浸入しても、ＰＣシート９１の端部９１ｉの近傍に形成された凹部９１ｇが液体を捕獲する役割を果たす。したがって、弾性部材９３と受入れ部８２の側部８２２との間の隙間８４ａに液体が溜まりにくくなるので、液体がガントリ２の内部に浸入する恐れを、更に低下させることができる。
【０１８５】
また、第５の形態では、スキャンウインドウ９０をカバーに装着した場合、弾性部材９２と受入れ部７２の側部７２２との間に隙間７４ａが形成されるように、弾性部材９２の幅ｗ１（図３２参照）を受入れ部７２の距離ｄ１（図２７参照）よりも小さい値（例えば、ｗ１＝０．７ｄ１）に設定している。同様に、弾性部材９３と受入れ部８２の側部８２２との間に隙間８４ａが形成されるように、弾性部材９３の幅ｗ２（図３２参照）を受入れ部８２の距離ｄ２（図２８参照）よりも小さい値（例えば、ｗ２＝０．７ｄ２）に設定している。このように弾性部材９２および９３の幅を小さく（狭く）することにより、弾性部材９２および９３が、それぞれ受入れ部７２および８２に入れやすくなるので、作業者はスキャンウインドウ９０をカバーに装着する作業を簡単に行うことができる。尚、隙間７４ａおよび８４ａが生じないように、幅の広い弾性部材９２および９３を使用してもよい。
【０１８６】
以下に、スキャンウインドウ９０の製造方法の一例について簡単に説明する。
図３５〜図３７は、スキャンウインドウ９０の製造方法の一例の説明図である。
先ず、ポリカーボネ−トを用いて製造されたマザーシートから、ＰＣシートとして使用される帯状のシート片１９１を用意する。このシート片１９１には凹部１９１ｆおよび１９１ｇが形成されている。凹部１９１ｆはシート片１９１の端面１９１ｃに沿うように形成され、凹部１９１ｇはシート片１９１の端面１９１ｄに沿うように形成されている。
【０１８７】
次に、このシート片１９１がリング形状になるように、シート片１９１の前端面１９１ａおよび後端面１９１ｂを接合する。シート片１９１の前端面１９１ａおよび後端面１９１ｂを接合することにより、図３６に示すように、リング形状のＰＣシート９１を製造することができる。
【０１８８】
次に、ＰＣシート９１に弾性部材９２および９３が接合される（図３７参照）。
図３７は、ＰＣシート９１に弾性部材９２および９３が接合された様子を示す図である。
弾性部材９２は、ＰＣシート９１の凹部９１ｆ（１９１ｆ）に沿うようにＰＣシート９１に接合され、弾性部材９３は、ＰＣシート９１の凹部９１ｇ（１９１ｇ）に沿うようにＰＣシート９１に接合される。
【０１８９】
このようにしてスキャンウインドウ９０を製造することができる。尚、シート片１９１の両端１９１ａおよび１９１ｂを接合する前に、弾性部材９２および９３をシート片１９１に接合させておいてもよい。この場合、弾性部材９２および９３が接合されたシート片１９１がリング形状になるようにシート片１９１の両端１９１ａおよび１９１ｂを接合することにより、スキャンウインドウ９０を製造することができる。
【０１９０】
尚、ＰＣシート９１は、シート片１９１の両端１９１ａおよび１９１ｂを接合することにより製造されているので、ＰＣシート９１の接合部分は十分な強度が得られないことがある。接合部分の強度を高める方法としては、例えば、接合部分に、図３８に示すように、凹部９１ｆに沿って接合部分を横切るように裏打ち部材１０１を接合し、更に、凹部９１ｇに沿って接合部分を横切るように裏打ち部材１０２を接合することが考えられる。裏打ち部材１０１および１０２は、例えば、ステンレスで製造された部材を使用することができる。図３８では、ＰＣシート９１に裏打ち部材１０１および１０２が接合されたものが、ウインドウ部材を構成する。裏打ち部材１０１および１０２を使用することにより、接合部分の強度を高めることができる。
【０１９１】
尚、図３８では、ＰＣシート９１と裏打ち部材１０１（１０２）とが重なっている部分の厚さＪ１は、ＰＣシート９１自体の厚さＪ２よりも、裏打ち部材の分だけ厚くなっている。したがって、弾性部材９２および９３をＰＣシート９１の外面９１ｂに接合する場合、裏打ち部材１０１および１０２が邪魔になることがあり得る。そこで、以下に、裏打ち部材１０１および１０２が弾性部材９２および９３の接合の邪魔にならないようにＰＣシートを製造する例について、図３９〜図４１を参照しながら説明する。
【０１９２】
先ず、図３９に示すように、ポリカーボネ−トを用いて製造されたマザーシートから、ＰＣシートとして使用される帯状のシート片１９２を用意する。このシート片１９２には凹部１９２ｆおよび１９２ｇが形成されている。凹部１９２ｆはシート片１９２の端面１９２ｃに沿うように形成され、凹部１９２ｇはシート片１９２の端面１９２ｄに沿うように形成されている。
【０１９３】
凹部１９２ｆは、シート片１９２の前端面１９２ａから所定の距離だけ幅広に形成された部分ｆ１と、シート片１９２の後端面１９２ｂから所定の距離だけ幅広に形成された部分ｆ２とを有している。また、凹部１９２ｇは、シート片１９２の前端面１９２ａから所定の距離だけ幅広に形成された部分ｇ１と、シート片１９２の後端面１９２ｂから所定の距離だけ幅広に形成された部分ｇ２とを有している。
【０１９４】
次に、このシート片１９２がリング形状になるように、シート片１９２の前端面１９２ａおよび後端面１９２ｂを接合する。シート片１９２の前端面１９２ａおよび後端面１９２ｂを接合することにより、図４０に示すように、リング形状のＰＣシート９１２を製造することができる。
【０１９５】
図４０では、凹部１９２ｆおよび１９２ｇの接合部分における幅ｗ１１が、凹部１９２ｆおよび１９２ｇの接合部分から離れた部分における幅ｗ１２よりも、広くなっている。
【０１９６】
次に、凹部１９２ｆの幅広の部分ｆ１およびｆ２と、凹部１９２ｇの幅広の部分ｇ１およびｇ２に、裏打ち部材を接合する。
【０１９７】
図４１は、裏打ち部材１０１および１０２が接合された状態を示す図である。
ＰＣシート９１２に裏打ち部材１０１および１０２が接合されたものが、ウインドウ部材を構成する。
【０１９８】
裏打ち部材１０１および１０２は、その厚さが凹部の深さに略一致するように形成されている。したがって、裏打ち部材１０１および１０２の表面とＰＣシート９１２の外面９１２ａとを略面一にすることができるので、弾性部材をＰＣシート９１２に接合する場合に、裏打ち部材１０１および１０２が弾性部材の接合の邪魔にならないようにすることができる。
【０１９９】
（６）第６の形態
第６の形態のＣＴ装置は、第５の形態のＣＴ装置と比較すると、フロントカバーおよびリアカバーの構造が異なるが、その他の構造は同じである。したがって、第６の形態の説明にあたっては、フロントカバーおよびリアカバーについて主に説明する。
【０２００】
尚、第６の形態におけるフロントカバーおよびリアカバーは、第５の形態のフロントカバーおよびリアカバーと比較すると、基本的な構造は共通しているので、相違点を主に説明する。
【０２０１】
図４２は、第６の形態におけるフロントカバー７０１およびリアカバー８０１の説明図である。
図４２は、フロントカバー７０１がメインカバー４０の前面側に固定され、リアカバー８０１がメインカバー４０の背面側に固定された様子を示す図である。
【０２０２】
第６の形態におけるフロントカバー７０１およびリアカバー８０１は、第５の形態におけるフロントカバー７０およびリアカバー８０と比較すると、以下の点（ａ）および（ｂ）が異なっている。
（ａ）第１の側部７２２が、壁面７１１の受入れ部７２側の面７１１ａよりも所定の長さだけ突出する凸部７２２ｄを有するように形成されている。
（ｂ）第３の側部８２２が、壁面８１１の受入れ部８２側の面８１１ａよりも所定の長さだけ突出する凸部８２２ｄを有するように形成されている。
【０２０３】
図４３は、フロントカバー７０１およびリアカバー８０１にスキャンウインドウ９０が装着された様子を示す図である。
スキャンウインドウ９０が装着されると、凹部９１ｆおよび９１ｇは、それぞれ凸部７２２ｄおよび８２２ｄと対向するように位置決めされる。
以下に、凸部７２２ｄおよび８２２ｄの効果について説明する。
【０２０４】
凸部７２２ｄおよび８２２ｄは、例えば、大量の液体を誤ってスキャンウインドウ９０にこぼしてしまった場合など、液体の水圧が高い状態でスキャンウインドウ９０に液体がこぼれてしまった場合に特に効果を発揮する。液体の水圧が高い状態でスキャンウインドウ９０に液体がこぼれると、ＰＣシート９１の凹部９１ｆおよび９１ｇ内に多量の液体が流入してしまうことがある。このような場合であっても、第６の形態では、凸部７２２ｄおよび８２２ｄが設けられているので、凹部９１ｆおよび９１ｇ内に流入した液体は、それぞれ凸部７２２ｄおよび８２２ｄによって堰き止められる。したがって、凹部９１ｆおよび９１ｇ内に流入した液体の量が多くても、液体がガントリ２の内部に浸入する恐れを十分に低下させることができる。
【０２０５】
（７）第７の形態
第７の形態では、第５および第６の形態の受入れ部とは異なる形状の受入れ部を使用した例について説明する。
【０２０６】
図４４は、第７の形態におけるフロントカバー７０２およびリアカバー８０２の説明図である。尚、第７の形態のフロントカバー７０２およびリアカバー８０２については、第５の形態のフロントカバー７０およびリアカバー８０と比較しながら説明する。
【０２０７】
第７の形態におけるフロントカバー７０２は、第５の形態におけるフロントカバー７０（図２７参照）と比較すると、第１の側部７２２を備えておらず、基部７２１がフロント壁部７１に一体的に形成されている点が異なっている。また、第７の形態におけるリアカバー８０２は、第５の形態におけるリアカバー８０（図２８参照）と比較すると、第３の側部８２２を備えておらず、基部８２１がフロント壁部８１に一体的に形成されている点が異なっている。
次に、スキャンウインドウについて説明する。
【０２０８】
図４５は、第７の形態におけるスキャンウインドウ９０１の斜視図およびＡ−Ａ断面図である。
スキャンウインドウ９０１は、ＰＣシート９１１と弾性部材９２および９３とを有している。
【０２０９】
ＰＣシート９１１は、薄肉部９１１ａと厚肉部９１１ｂおよび９１１ｃとを有している。厚肉部９１１ｂは薄肉部９１１ｂの一方の端部に一体的に形成されており、厚肉部９１１ｃは薄肉部９１１ｂの他方の端部に一体的に形成されている。弾性部材９２は、厚肉部９１１ｂに沿うように設けられており、弾性部材９２と厚肉部９１１ｂとの間には隙間９０１ａが設けられている。弾性部材９３は、厚肉部９１１ｃに沿うように設けられており、弾性部材９３と厚肉部９１１ｃとの間には隙間９０１ｂが設けられている。
【０２１０】
図４６は、フロントカバー７０２およびリアカバー８０２にスキャンウインドウ９０１が装着された様子を示す図である。
第７の形態は、第５の形態と同様に、液体がガントリ２の外部からガントリ２内に浸入してしまう恐れを低減することができ、更に、ＰＣシートの変形を十分に低減することができる。
【０２１１】
また、第７の形態では、弾性部材９２と厚肉部９１１ｂとの間に隙間９０１ａが設けられている。したがって、ＰＣシート９１１の厚肉部９１１ｂとカバーの面７１ａとの間に浸入した液体は隙間９０１ａに到達する。隙間９０１ａ内に到達した液体は、その液体に働く表面張力によって、厚肉部９１１ｂの壁面に付着しやすくなるので、隙間９０１ａは液体を捕獲する役割を果たし、その結果、液体は隙間９０１ａから弾性部材９２に向かって流動しにくくなる。同様に、液体がＰＣシート９１１の厚肉部９１１ｃとカバーの面８１ａとの間に浸入しても、弾性部材９３と厚肉部９１１ｃとの間の隙間９０１ｂが液体を捕獲する役割を果たすので、液体は隙間９０１ｂから弾性部材９３に向かって流動しにくくなる。このため、液体がガントリ２の内部に浸入する恐れを、更に低下させることができる。
【０２１２】
（８）第８の形態
スキャンウインドウをカバーに装着すると、ＰＣシートは弾性部材から押し返される力を受けるので、ＰＣシートが変形してしまうことがある。第８の形態では、ＰＣシートが弾性部材から押し返される力を受けても、ＰＣシートを変形しにくくすることができる例について説明する。
【０２１３】
第８の形態は、第５の形態と比較すると、スキャンウインドウが異なっているが、その他の構成は同じである。したがって、第８の形態の説明に当たっては、スキャンウインドウについて主に説明する。
【０２１４】
図４７は、第８の形態におけるスキャンウインドウ９０２の説明図である。
第８の形態のスキャンウインドウ９０２は、第５の形態のスキャンウインドウ９０（図３４参照）と比較すると、ＰＣシート９１と弾性部材９２との間にＰＣシート９１よりも変形しにくい合金板９４を備えており、更に、ＰＣシート９１と弾性部材９３との間にＰＣシート９１よりも変形しにくい合金板９５を備えている点が異なっている。この合金板９４および９５は、例えば、ステンレス鋼を用いて形成することができる。
【０２１５】
第８の形態では、ＰＣシート９１と弾性部材９２および９３との間に、ＰＣシート９１よりも変形しにくい合金板９４および９５を備えている。したがって、弾性部材９２および９３からＰＣシート９１を押し返す力が発生しても、合金板９４および９５自体が変形しにくいので、ＰＣシート９１の変形を抑制することができる。
【０２１６】
尚、第８の形態では、ＰＣシート９１の変形を抑制するために、合金板９４および９５が使用されているが、ＰＣシート９１よりも変形しにくい部材であれば、合金板９４および９５とは別の部材を使用してもよい。
【０２１７】
（９）第９の形態
図４８は、第９の形態で使用される弾性部材を示す図である。
第９の形態における弾性部材９２および９３は、第１〜第８の形態で使用される弾性部材９２および９３とは異なる断面形状を有するように形成されている。
弾性部材９２および９３は、ガントリ２の内部に液体が侵入する恐れを低減できるのであれば、任意の断面形状を有するように形成することが可能である。
【符号の説明】
【０２１８】
２  ガントリ
３  ボア
４  フレーム
５  回転部
６  Ｘ線管
７  Ｘ線検出器
８  回転支持部材
２０  外装
３０  フロントカバー
３１  フロント壁部
３２、５２、７２、８２  受入れ部
３３、５３、７３、８３  補強部
３４、５４、７４、８４  空間
４０  メインカバー
５０  リアカバー
５１  リア壁部
６０  スキャンウインドウ
９１ｆ、９１ｇ  凹部
３１１、５１１  壁面
３１２、３１３、５１２、５１３  周縁部
３１４、５１４  開口部
７２２ｄ、８２２ｄ  凸部
【図１】
2020069382.tif 000003
【図２】
2020069382.tif 000004
【図３】
2020069382.tif 000005
【図４】
2020069382.tif 000006
【図５】
2020069382.tif 000007
【図６】
2020069382.tif 000008
【図７】
2020069382.tif 000009
【図８】
2020069382.tif 000010
【図９】
2020069382.tif 000011
【図１０】
2020069382.tif 000012
【図１１】
2020069382.tif 000013
【図１２】
2020069382.tif 000014
【図１３】
2020069382.tif 000015
【図１４】
2020069382.tif 000016
【図１５】
2020069382.tif 000017
【図１６】
2020069382.tif 000018
【図１７】
2020069382.tif 000019
【図１８】
2020069382.tif 000020
【図１９】
2020069382.tif 000021
【図２０】
2020069382.tif 000022
【図２１】
2020069382.tif 000023
【図２２】
2020069382.tif 000024
【図２３】
2020069382.tif 000025
【図２４】
2020069382.tif 000026
【図２５】
2020069382.tif 000027
【図２６】
2020069382.tif 000028
【図２７】
2020069382.tif 000029
【図２８】
2020069382.tif 000030
【図２９】
2020069382.tif 000031
【図３０】
2020069382.tif 000032
【図３１】
2020069382.tif 000033
【図３２】
2020069382.tif 000034
【図３３】
2020069382.tif 000035
【図３４】
2020069382.tif 000036
【図３５】
2020069382.tif 000037
【図３６】
2020069382.tif 000038
【図３７】
2020069382.tif 000039
【図３８】
2020069382.tif 000040
【図３９】
2020069382.tif 000041
【図４０】
2020069382.tif 000042
【図４１】
2020069382.tif 000043
【図４２】
2020069382.tif 000044
【図４３】
2020069382.tif 000045
【図４４】
2020069382.tif 000046
【図４５】
2020069382.tif 000047
【図４６】
2020069382.tif 000048
【図４７】
2020069382.tif 000049
【図４８】
2020069382.tif 000050